【手続補正書】
【提出日】平成18年3月30日(2006.3.30)
【手続補正１】
【補正対象書類名】明細書
【補正対象項目名】特許請求の範囲
【補正方法】変更
【補正の内容】
【特許請求の範囲】
【請求項１】  （ａ）０．００１〜０．５重量％のデオキシリボ核酸および
（ｂ）１〜２０重量％のＵＶフィルター
を含有する化粧料組成物。
【請求項２】  乳化剤（ｃ）および油成分（ｄ）を付加的成分として含有することを特徴とする請求項１に記載の化粧料組成物。
【請求項３】  ３−ベンジリデンカンファーおよびその誘導体、４−アミノ安息香酸誘導体、桂皮酸エステル類、サリチル酸エステル類、ベンゾフェノン誘導体、ベンザルマロン酸エステル類、トリアジン誘導体、プロパン−１,３−ジオン類、２−フェニルベンズイミダゾール−５−スルホン酸類およびその塩、ベンゾフェノンのスルホン酸誘導体、３−ベンジリデンカンファーのスルホン酸誘導体およびベンゾイルメタン誘導体からなる群から選択されるＵＶフィルターを含有することを特徴とする請求項１または２に記載の組成物。
【請求項４】  ＵＶフィルターとして、二酸化チタン、酸化亜鉛、酸化鉄、酸化アルミニウム、酸化セリウム、酸化ジルコニウム、ケイ酸塩（タルク）、硫酸バリウムおよびステアリン酸亜鉛からなる群から選択される微分散金属酸化物または塩を含有することを特徴とする請求項１〜３のいずれかに記載の組成物。
【請求項５】  ＵＶフィルターとして、スーパーオキシド−ジスムターゼ、トコフェロール(ビタミンＥ)およびアスコルビン酸(ビタミンＣ)からなる群から選択される酸化防止剤を含有することを特徴とする請求項１〜４のいずれかに記載の組成物。
【請求項６】  炭素数６〜１８の脂肪アルコールから誘導するゲルベアルコール、直鎖Ｃ6-20脂肪酸と直鎖Ｃ6-20脂肪アルコールとのエステル、分枝状Ｃ6-13カルボン酸と直鎖Ｃ6-22脂肪アルコールとのエステル、直鎖Ｃ6-22脂肪酸と分枝状アルコールとのエステル、直鎖および／または分枝状脂肪酸と多価アルコールおよび／またはゲルベアルコールとのエステル、Ｃ6-10脂肪酸からなるトリグリセリド、Ｃ6-18脂肪酸からなる液状モノ−／ジ−／トリグリセリド混合物、Ｃ6-22脂肪アルコールおよび／またはゲルベアルコールと芳香族カルボン酸とのエステル、炭素数１〜２２個の直鎖または分枝状アルコールもしくは２〜１０個の炭素原子および２〜６個のヒドロキシル基を有するポリオールとＣ2-12ジカルボン酸とのエステル、植物油、分枝状第一級アルコール、置換シクロヘキサン、直鎖Ｃ6-22脂肪アルコールカーボネート、ゲルベカーボネート、安息香酸と直鎖および／または分枝状Ｃ6-22アルコールとのエステル、ジアルキルエーテル、エポキシ化脂肪酸エステルのポリオールによる開環生成物、脂肪族もしくはナフテン族炭化水素およびシリコーン油から成る群から選択される油成分を含有することを特徴とする請求項１に記載の組成物。
【請求項７】  (ｃ１)炭素数８〜２２の直鎖脂肪アルコール、炭素数１２〜２２の脂肪酸、およびアルキル基の炭素数８〜１５のアルキルフェノールの、エチレンオキシド２〜３０モルおよび／またはプロピレンオキシド０〜５モル付加物；
(ｃ２)グリセロールのエチレンオキシド１〜３０モル付加物の、Ｃ12/18脂肪酸モノエステルおよびジエステル；
(ｃ３)炭素数６〜２２の飽和および不飽和脂肪酸並びにそれらのエチレンオキシド付加物の、グリセロールモノエステルおよびジエステル、並びにソルビタンモノエステルおよびジエステル；
(ｃ４)アルキル基の炭素数８〜２２のアルキルモノ−およびオリゴグリコシド、並びにそれらのエトキシル化類似体；
(ｃ５)ヒマシ油および／または水素化ヒマシ油のエチレンオキシド１５〜６０モル付加物；
(ｃ６)ポリオールエステル、特にポリグリセロールエステル；
(ｃ７)ヒマシ油および／または水素化ヒマシ油のエチレンオキシド２〜１５モル付加物；
(ｃ８)直鎖、分枝状、不飽和または飽和Ｃ6/22脂肪酸、リシノール酸および１２−ヒドロキシステアリン酸と、グリセロール、ポリグリセロール、ペンタエリスリトール、ジペンタエリスリトール、糖アルコール、アルキルグルコシドおよびポリグルコシドとの、部分エステル；
(ｃ９)モノ−、ジ−およびトリアルキルホスフェート、並びにモノ−、ジ−および／またはトリ−ＰＥＧ−アルキルホスフェートおよびそれらの塩；
(ｃ１０)羊毛ワックスアルコール；
(ｃ１１)ポリシロキサン／ポリアルキルポリエーテルコポリマーおよび対応する誘導体；
(ｃ１２)ペンタエリスリトール、脂肪酸、クエン酸および脂肪アルコールの混合エステル、および／または炭素数６〜２２の脂肪酸、メチルグルコースおよびポリオールの混合エステル； 
(ｃ１３)ポリアルキレングリコール；
(ｃ１４)ベタイン；
(ｃ１５)エステルクォート
からなる群から選択される乳化剤を含有することを特徴とする請求項１〜６のいずれかに記載の組成物。
【請求項８】  ａ）０．００１〜０．５重量％のデオキシリボ核酸および
ｂ）１〜２０重量％のＵＶフィルター
を含有する日焼け止め組成物。
【請求項９】  ａ）０．００１〜０．５重量％のデオキシリボ核酸および
ｂ）１〜２０重量％のＵＶフィルター
を含有する日焼け後処理剤。
【手続補正２】
【補正対象書類名】明細書
【補正対象項目名】０００１
【補正方法】変更
【補正の内容】
【０００１】
（技術分野）
本発明は、デオキシリボ核酸およびＵＶフィルターを含有する化粧料組成物、ならびにそれを含むサンスクリーンおよび日焼け後処理剤に関する。
【手続補正３】
【補正対象書類名】明細書
【補正対象項目名】０００２
【補正方法】変更
【補正の内容】
【０００２】
（背景技術）
太陽照射の影響下で、通常の皮膚に色がつくと、メラニンを形成する。長波長ＵＶ−Ａ光を浴びると、いかなる有害な影響も与えずに、表皮にあるメラニンを濃くし、一方、短波長ＵＶ−Ｂ放射線を浴びると、新しいメラニンを形成する。しかしながら、保護色素が形成される前に、皮膚が、フィルターされていない放射線の影響を受けると、照射時間に依存して、皮膚を赤くし（紅斑）、皮膚に炎症を生じさせ（日焼け）または水ぶくれさえも形成する。そのような皮膚障害を伴う生物体上の損傷は、例えばヒスタミンの分布と関連して、さらに、頭痛、だるさ、発熱、心臓および循環器系の問題などを引き起こし得る。太陽の有害な影響に対して自らを保護しようとする消費者は、ほとんどの場合、数少ない皮膚手入れ成分の他に、とりわけ合成ＵＶフィルターを含有する油およびミルク状エマルジョンである製品から選択できる。US 4,707,354(Alpen Tau Inc.)には、ＵＶフィルターおよびアラントインを組み合わせて含有する化粧料組成物が記載されている。この主題の概観は、例えばP.Finkel著、Parf. Kosm. 76, 432(1995)およびS. Schauder著、Parf. Kosm. 76, 490(1995)で公表されている。
【手続補正４】
【補正対象書類名】明細書
【補正対象項目名】０００４
【補正方法】変更
【補正の内容】
【０００４】
この点に関して、特に興味深い製品は、貯蔵の間に相分離または沈殿を生じないで比較的多くの量のＵＶフィルターを配合することができる製剤である。比較的多量の二酸化チタンを配合する場合、例えば欧州特許出願EP 0 667 144 A1 (L'Oreal)に記載されるような転相温度法によって製造される製剤は、非常に迅速に、分散固体を分離しやすい。他の問題は、多くのＵＶフィルターが、製剤の他の成分と相互作用して、化学反応し、貯蔵安定性を低下させることである。最後に、消費者は、非常に敏感肌に適用した際にも高い皮膚適合性を示す製剤、例えばゲルを好む。
【手続補正５】
【補正対象書類名】明細書
【補正対象項目名】０００６
【補正方法】変更
【補正の内容】
【０００６】
（その解決方法）
本発明は、
ａ）０．００１〜０．５重量％のデオキシリボ核酸および
ｂ）１〜２０重量％のＵＶフィルター
を含有する化粧料組成物に関する。
【手続補正６】
【補正対象書類名】明細書
【補正対象項目名】０００７
【補正方法】変更
【補正の内容】
【０００７】
驚くべきことに、デオキシリボ核酸およびＵＶフィルターの組み合わせは、日焼け止め製品での使用に適した吸収スペクトルを有し、同時に高い皮膚適合性を示す生成物を提供することが見出された。デオキシリボ核酸を使用することによって、これらの組成物は、身体の核酸を保護するために特に適している吸収スペクトルを有する。使用されるデオキシリボ核酸は、身体自体の核酸と同じ吸収スペクトルを有するので、保証された非常に効果的なＵＶ吸収だけでなく、酸化防止的保護も達成されうる。ＵＶ線の有害な影響は、まず化粧料組成物のデオキシリボ核酸に達し、放射線誘起ダメージから身体自体の核酸を保護する。ＵＶフィルターとデオキシリボ核酸の組み合わせは、組成物の高い適合性と供に、太陽照射の有害な影響に対して特に効果的な保護を与える。この効果は、既知の日焼け止め因子だけの組み合わせによって達成できない。さらに、天然原料だけからの組成物は、成分ｂ）を適切に選択することによって得られ得る。このことは、最終生成物の適合性に関するかぎり特に重要である。本発明の１つの態様において、成分ａ）およびｂ）は、水性または水性／アルコール溶液からなるいわゆる日焼け止めゲルの形態で存在する。他の態様において、これらの成分は、サンオイルの形態で使用されうる。
【手続補正７】
【補正対象書類名】明細書
【補正対象項目名】０００８
【補正方法】変更
【補正の内容】
【０００８】
本発明の他の態様において、乳化剤ｃ）および油成分ｄ）は、さらなる成分として使用される。水中油または油中水エマルジョン（サンミルクおよびサンクリーム）が、成分ｃ）およびｄ）の選択に依存して得られうる。本発明の日焼け止め組成物は、相安定性および貯蔵安定性によって特徴づけられる。ＵＶフィルターとデオキシシボ核酸との組み合わせによって、高い皮膚適合性と高い皮膚保護因子を組合わせた安定な生成物を得ることができる。
【手続補正８】
【補正対象書類名】明細書
【補正対象項目名】０００９
【補正方法】変更
【補正の内容】
【０００９】
デオキシリボ核酸
デオキシリボ核酸（ＤＮＡ）は、当量のヌクレオベース（核酸塩基）およびペントース２−デオキシ−Ｄ−リボフラノースまたはＤ−リボフラノースから調製される２’−デオキシ−β−Ｄ−リボヌクレオシドまたはＤ−リボヌクレオシドから誘導される高分子量フィラメント状ポリヌクレオチドであると理解される。化粧料における活性物質としての核酸の使用は既知である。例えば、フランス特許出願FR-A1 2511253には、高重合ＤＮＡを含有する皮膚手入れおよび日焼け止め組成物が記載されている。日本国特許出願公開JP-A2 62/096404（カネボウ）には、核酸およびジイソプロピルアミンジクロロアセテートを含有する化粧料組成物が記載されている。フランス特許FR-B1 2620024（Soc. d'Etudes Dermatologiques)は、ラジカルスカベンジャーとして核酸誘導体を含有する組成物に関する。例えば、アデニン、グアノシン、キサンチン、ヒポキサンチン、ウラシルおよびリボ核酸が挙げられる。国際特許出願WO 95/01773(Boston University)には、ＤＮＡフラグメント、好ましくはジヌクレオチドを、リポソーム形態で表皮に移す、色素生成の刺激方法が記載されている。最後に、ドイツ特許出願DE-A1 4323615は、老化防止および日焼け止めクリームとして核酸およびそのフラグメントを含有する組成物に関する。さらに、リボ核酸からなる日焼け止め組成物は、DE-T1 3990820(Laboratoires Serobiologique)およびUS特許US 5,039,516(Dento-Med Industries)から既知である。
【手続補正９】
【補正対象書類名】明細書
【補正対象項目名】００１０
【補正方法】変更
【補正の内容】
【００１０】
ＤＮＡは、プリン誘導体アデニンおよびグアニンならびにピリミジンシトシンおよびチミンをヌクレオベースとして含有しうる。核酸において、ヌクレオベースは、リボースの炭素原子１にＮ−グリコシド結合によって結合され、アデノシン、グアノシン、シチジンおよびチミジンが、特定の個々の場合に形成される。酸において、ホスフェート基が、ホスホジエステルブリッジによって次のホスフェート基の３’−ＯＨ基にヌクレオシドの５’−ヒドロキシ基を結合し、一本鎖ＤＮＡを形成する。ＤＮＡは、通常二本鎖である（対応する塩基の間で水素ブリッジ結合を形成する）。核酸の処理に依存して、ＤＮＡは、二本鎖の形態および／または一本鎖の形態で存在しうる。本発明におけるデオキシリボ核酸の表記は、二本鎖および一本鎖デオキシリボ核酸のそれぞれならびに一本鎖および二本鎖の混合物も含む。大きい長さ対直径の比の故に、ＤＮＡ分子は、機械的応力の下で、例えば抽出の間に鎖切断を受けやすい。この理由から、核酸の分子量は、１０3〜１０9ダルトンに達する。液晶挙動で特徴づけられる濃縮ＤＮＡ溶液は、本発明の目的に使用される。海洋源から、例えば魚精液の抽出によって得られ、１０００〜５００００００ダルトンの分子量を有するデオキシリボ核酸が、好ましく使用される。１００００〜１０００００ダルトンの海洋源の一本鎖デオキシリボ核酸が、特に好ましい。デオキシリボ核酸が、組成物に基づいて０．００１〜２．５重量％、好ましくは０．１〜０．５重量％の量で本発明の組成物に存在しうる。
【手続補正１０】
【補正対象書類名】明細書
【補正対象項目名】００１５
【補正方法】変更
【補正の内容】
【００１５】
通常のＵＶ−Ａフィルターはとりわけ、ベンゾイルメタン誘導体、例えば１−（４'−tert−ブチルフェニル）−３−（４'−メトキシフェニル）−プロパン−１,３−ジオンまたは１−フェニル−３−（４'−イソプロピルフェニル）−プロパン−１,３−ジオンである。ＵＶ−ＡフィルターとＵＶ−Ｂフィルターを混合物として使用しても当然よい。上記可溶性物質のほかに、不溶性顔料、すなわち、微分散金属酸化物または塩、例えば二酸化チタン、酸化亜鉛、酸化鉄、酸化アルミニウム、酸化セリウム、酸化ジルコニウム、ケイ酸塩（タルク）、硫酸バリウムおよびステアリン酸亜鉛を、この目的のために使用してもよい。粒子は、平均直径１００nm未満、好ましくは５〜５０nm、より好ましくは１５〜３０nmであるべきである。粒子は球形であり得るが、楕円形粒子または他の非球形粒子を使用してもよい。上記２群の主ＵＶフィルターの他に、酸化防止剤タイプの副光フィルターも使用されうる。酸化防止剤タイプの副光フィルターは、ＵＶ線が皮膚に侵入すると開始される光化学反応連鎖を断つ。そのような光フィルターの典型的な例は、スーパーオキシド−ジスムターゼ（Superoxid-Dismutase)、トコフェロール(ビタミンＥ)およびアスコルビン酸(ビタミンＣ)である。他の適当なＵＶフィルターは、P. Finkel著のレビュー、SOEFW−Journal、１２２、５４３（１９９６）に記載されている。ＵＶフィルターは、通常本発明の組成物の１〜２０重量％、好ましくは５〜１５重量％を構成する。そのような本発明による組成物は、水を１〜９５重量％、好ましくは５〜８０重量％、更に好ましくは１０〜６０重量％含有しうる。有機化合物は、ＵＶフィルターとして使用される場合、その共乳化特性が、組成物の製造において利用されうる。
【手続補正１１】
【補正対象書類名】明細書
【補正対象項目名】００２６
【補正方法】変更
【補正の内容】
【００２６】
製剤は、さらに他の成分と相溶性のある界面活性剤を少量含有しうる。典型的なアニオン性界面活性剤は、石鹸、アルキルベンゼンスルホネート、アルカンスルホネート、オレフィンスルホネート、アルキルエーテルスルホネート、グリセロールエーテルスルホネート、α−メチルエステルスルホネート、スルホ脂肪酸、アルキルスルフェート、脂肪アルコールエーテルスルフェート、グリセロールエーテルスルフェート、ヒドロキシ混合エーテルスルフェート、モノグリセリド（エーテル）スルフェート、脂肪酸アミド（エーテル）スルフェート、モノ−およびジアルキルスルホスクシネート、モノ−およびジアルキルスルホスクシンアメート、スルホトリグリセリド、アミド石鹸、エーテルカルボン酸およびそれらの塩、脂肪酸イセチオネート、脂肪酸サルコシネート、脂肪酸タウリド、Ｎ−アシルアミノ酸、例えばアシルラクチレート、アシルタートレート、アシルグルタメートおよびアシルアスパルテート、アルキルオリゴグルコシドスルフェート、プロテイン脂肪酸縮合物（特に小麦系植物性生成物）およびアルキル（エーテル）ホスフェートである。アニオン性界面活性剤が、ポリグリコールエーテル鎖を有する場合、通常の同族体分布を有してよいが、好ましくは狭い同族体分布を有する。